(57)【要約】【課題】磁気泳動反転型表示パネルや磁気泳動反転表示型パネルへの使用を目的として、先端にＳ極を有する筆記用磁石と先端にＮ極を有する筆記用磁石とを一つの軸筒の一端側に備えた磁気パネル用の磁気ペンを得るものであり、さらに使用者が磁気パネルに表示される筆跡の色が容易に判別できるものとすることである。【解決手段】軸部と磁石保持部と膨出部と係止部とを有し微小磁石の第一色と第二色の２色とする第一の筆記体と第二の筆記体を、軸筒本体内で軸部を挿通させたコイルスプリングにて後方へ弾発させると共に、膨出部を摺動溝より突出させて配設し、第一の筆記体または第二の筆記体のいずれか一方の膨出部を前進させて軸筒本体内に設けた係止受部に当該筆記体の係止部を係止させることにより、膨出部に対応する筆記体の筆記用磁石を、軸筒本体の先端開口部より突出させた状態を維持させる。【選択図】図３
2008155551.tif 000002
【特許請求の範囲】
【請求項１】
Ｓ極側表面を第一色にＮ極側表面を第二色に着色した微小磁石が分散媒中に分散された分散液体を液体収容室に収容した磁気パネル用の磁気ペンにおいて、前方に先端開口部を有し後方に軸心に沿った摺動溝を有する軸筒本体の内部に、軸部と磁石保持部と膨出部と係止部とを有し前記微小磁石の第一色と第二色の２色とする第一の筆記体と第二の筆記体を、前記軸筒本体内で前記軸部を挿通させたコイルスプリングにて後方へ弾発させると共に、前記膨出部を前記摺動溝より突出させて配設し、前記第一の筆記体または第二の筆記体のいずれか一方の膨出部を前進させて前記軸筒本体内に設けた係止受部に当該筆記体の係止部を係止させることにより、当該膨出部に対応する前記第一の筆記体の磁石保持部に装着した先端にＮ極を有する筆記用磁石または前記第二の筆記体の磁石保持部に装着した先端にＳ極を有する筆記用磁石を、前記軸筒本体の先端開口部より突出させた状態を維持することを特徴とした磁気パネル用の磁気ペン。
【請求項２】
前記第一の筆記体および第二の筆記体が射出成形による形成した樹脂部材であることを特徴とした請求項１に記載の磁気パネル用の磁気ペン。
【請求項３】
前記筆記体の筆記用磁石が軸筒本体の先端開口部より突出すると共に、前記磁石保持部も該先端開口部から露出することを特徴とした請求項１または２に記載の磁気パネル用の磁気ペン。
【請求項４】
前記磁石保持体部が前記筆記用磁石の表面を被覆することを特徴とした請求項３に記載の磁気パネル用の磁気ペン。
【発明の詳細な説明】
【技術分野】
【０００１】
本発明は、磁気パネルに筆記を行うことができる磁石を筆記先端とした磁気ペンに関する。
【背景技術】
【０００２】
磁石を筆記先端とする磁気ペンを用いて筆記を行うことにより、その磁石の磁界を利用して筆跡を表示する構造の磁気パネルは従来からよく知られている。具体的にこの磁気パネルには、
ａ）例えば特公昭５９−３２７９６号公報により開示されているように、Ｓ極側表面を第一色にＮ極側表面を第二色に着色した微小磁石を、分散媒中に分散した分散液体を液体収容室に収容した磁気パネルであって、パネルの表示面側から磁気ペンの磁界を作用させて前記微小磁石を反転して筆記を行い、同じ表示面側から筆記時とは逆の磁界を作用させることで前記微小磁石を再反転して筆跡を消去するいわゆる磁気反転型表示パネル、
ｂ）あるいは、ＷＯ２００５／０３３７９０号公報により開示されているように、高保磁力材からなる第１の磁性材料と低保磁力材からなる第２の磁性材料とが混在し、Ｓ極側表面を第一色に着色しＮ極側表面を第二色に着色した微小磁石を、第三色の色となる着色材を含有する分散媒中に分散した分散液体を液体収容室に収容した磁気パネルであって、パネルの表示面側から磁気ペンの磁界を作用させて前記微小磁石を泳動または泳動／反転させて筆記を行い、さらに表示面側から筆記の時とは逆の磁極を作用させることで、前記の表示を形成した微小磁石を反転させて筆記色を変化させることができ、またパネルの裏面側から消去用磁石の磁界で微小磁石を裏側に引き寄せて筆跡を消去する構造の磁気泳動反転型表示パネルがある。
【０００３】
こうした磁気パネルの筆記には、Ｓ極とＮ極とを有する微小磁石に対し、外的な磁界を作用させて分散液体中で反転や吸引させることが求められており、微小磁石のＳ極側表面を磁気パネルの表面側へ引き寄せるためのＮ極を先端に向けた筆記用磁石を軸筒の先端に装着したものと、微小磁石のＮ極側表面を磁気パネルの表面側へ引き寄せるためのＳ極を先端に向けた筆記用磁石を軸筒の先端に装着した異なる２つの磁気ペンを必要としており、それぞれの磁気ペンを持ち替えて筆記する必要がある。
【０００４】
前述のような磁気ペンを持ち替える煩わしさを解消する方法として、一つの軸筒の両端に先端の磁極が異なる磁石を装着する方法が考えつくが、やはり筆記時に軸筒の前後を逆に持ち替える煩わしさがあった。
【特許文献１】特公昭５９−３２７９６号公報
【特許文献２】ＷＯ  ２００５／０３３７９０号公報
【発明の開示】
【発明が解決しようとする課題】
【０００５】
本発明は、前述した磁気反転型表示パネルや磁気泳動反転表示型パネルへの使用を目的として、先端にＳ極を有する筆記用磁石と先端にＮ極を有する筆記用磁石とを一つの軸筒の一端側に備えた磁気パネル用の磁気ペンを得るものであり、さらに使用者が筆記時に磁気パネルに表示される筆跡の色が容易に磁気ペン自体で判別できるものとすることである。
【課題を解決するための手段】
【０００６】
本発明は、
「１．Ｓ極側表面を第一色にＮ極側表面を第二色に着色した微小磁石が分散媒中に分散された分散液体を液体収容室に収容した磁気パネル用の磁気ペンにおいて、前方に先端開口部を有し後方に軸心に沿った摺動溝を有する軸筒本体の内部に、軸部と磁石保持部と膨出部と係止部とを有し前記微小磁石の第一色と第二色の２色とする第一の筆記体と第二の筆記体を、前記軸筒本体内で前記軸部を挿通させたコイルスプリングにて後方へ弾発させると共に、前記膨出部を前記摺動溝より突出させて配設し、前記第一の筆記体または第二の筆記体のいずれか一方の膨出部を前進させて前記軸筒本体内に設けた係止受部に当該筆記体の係止部を係止させることにより、当該膨出部に対応する前記第一の筆記体の磁石保持部に装着した先端にＮ極を有する筆記用磁石または前記第二の筆記体の磁石保持部に装着した先端にＳ極を有する筆記用磁石を、前記軸筒本体の先端開口部より突出させた状態を維持することを特徴とした磁気パネル用の磁気ペン。
２．前記第一の筆記体および第二の筆記体が射出成形による形成した樹脂部材であることを特徴とした１項に記載の磁気パネル用の磁気ペン。
３．前記筆記体の筆記用磁石が軸筒本体の先端開口部より突出すると共に、前記磁石保持部も該先端開口部から露出することを特徴とした１項または２項に記載の磁気パネル用の磁気ペン。
４．前記磁石保持体部が前記筆記用磁石の表面を被覆することを特徴とした３項に記載の磁気パネル用の磁気ペン。」
である。
【０００７】
筆記用磁石には、先端と後端とに異なる磁極を有する一般的な永久磁石を用いることができる。その筆記用磁石は、筆記体の先端に磁石保持部として形成した凹部に嵌着や接着したり、あるいは樹脂にて筆記体を射出成形する際に、予め筆記用磁石を筆記体の先端部となる磁石保持部へ鋳込むようにして装着してもよい。筆記用磁石を筆記体の先端部に鋳込ませるものとした場合には、磁石が磁石保持部の樹脂に被覆されるので筆記パネルの表面が傷つきにくいものとなり、また落下などの衝撃から筆記用磁石を守ることができるので好ましい。この場合、筆記用磁石の磁界が樹脂を透過して磁気パネルの微小磁石に作用できる厚さにて樹脂を被覆することが肝要である。
【０００８】
またコイルスプリングは、軸筒本体の内部において筆記体の軸部が挿通するよう配置させると共に、軸筒本体内に設けた突出部に前端を当接させ、挿通させた筆記体の軸部の側面に形成した突出部に後端部を当接させて、筆記体を後方へ弾発させるものとする。
【０００９】
また筆記体に形成する膨出部は、少なくとも筆記体に装着した筆記用磁石が軸筒本体内に没入した状態の時には、軸筒本体に設けた摺動溝より突出する形状とする必要がある。また筆記体に形成する係止部は、膨出部を前方へ移動させた際に、軸筒本体内に設けた係止受部に係止できる形状とする。具体的には、例えば前記膨出部の後端を平らに形成して係止部としたり、膨出部の反対方向へ突出する隆起部を設けて引っ掛かりやすくしてもよい。また、軸筒本体内に設ける係止受部は、軸筒本体の後端内面より前方方向へ延びる壁面を垂設したものとしたり、あるいは一方の筆記体が前進した際に、当該一方の筆記体の係止部が他方の筆記体に形成した係止受部に係止される構造としてもよい。
【００１０】
また例えば、微小磁石のＳ極側表面が赤色でＮ極側表面が黒色の場合には、Ｎ極を先端に有する第一の筆記体を赤色とし、Ｓ極を先端に有する第二の筆記体の色を黒色とすることで、使用者がそれぞれの膨出部の色にて突出させる筆記体の筆記色を判別し、当該筆記体の筆記用磁石を軸筒本体より突出させることができる。またさらに、筆記用磁石と共に磁石保持部が先端開口部から露出する構造とすれば、筆記時に使用者が先端開口部から露出した磁石保持部の色を見て、磁気パネルに書ける筆跡の色を把握することができるので利便性が向上する。
【発明の効果】
【００１１】
本発明の磁気パネル用の磁気ペンは前述したような構造なので、一つの軸筒の一端側より、先端にＳ極を有する筆記用磁石と先端にＮ極を有する筆記用磁石とを選択的に出没させることができるものとなり、筆記色を変えるために別の磁気ペンに持ち替える必要がないものとなる。尚、使用開始時においては膨出部の色を見て目的とする筆記色の筆記体を突出させることが可能であり、さらには筆記時において軸筒本体の先端開口部から露出した磁石保持部の色を見て筆記色を確認することが可能なものとなる。また、筆記体を樹脂による射出成形にて一体で形成することにより、部材点数が少なく単純な構造で安価なものを提供することが可能となる。さらに磁石保持部にて筆記用磁石を被覆することにより、筆記用磁石自体の保護のみならず接触する磁気パネルの表面をも保護することが可能なものとなる。
【発明を実施するための最良の形態】
【００１２】
次に図面を参照しながら、本発明の磁気パネル用の磁気ペンの実施例を説明するが、本発明は以下の実施例に限定されるものではない。また図中の同じ部材、同じ部品については、同じ符号としてある。本実施例では、筆記先端がある側を前方とし反対側を後方として表現する。
【００１３】
図１は本発明の実施例である磁気ペンの側面図で、図２は図１のＡ−Ａ線断面図である。 磁気ペン１は前軸２の後端と後軸３の前端とを嵌め込んで形成した中空の軸筒本体４内に、第一の筆記体５と第二の筆記体６とを収容してある。前軸２の前方には先端開口部２ａを形成してあり、後軸３の後方には軸心に沿って形成した２つの摺動溝３ａ，３ｂを設けてある。
【００１４】
第一の筆記体５および第二の筆記体６は、先端にそれぞれ筆記用磁石７，８を装着してある。筆記用磁石７は先端にＮ極を向けて第一の筆記体５の軸部５ａの先端に磁石保持部５ｂとして形成した凹部へ嵌着してあり、筆記用磁石８は先端にＳ極を向けて第二の筆記体６の軸部６ａの先端に磁石保持部６ｂとして形成した凹部へ嵌着してある。
【００１５】
また筆記体５，６はそれぞれの後端部に前記摺動溝３ａ，３ｂより突出する膨出部５ｃ，６ｃを形成してある。また第一の筆記体５および第二の筆記体６は軸部５ａ，６ａの中間部に軸部の中心線から突出した突出部５ｄ，６ｄを設けてあり、その突出部５ｄ，６ｄと軸筒本体４内に装着した駒部材９との間にコイルスプリング１０，１１を配設して、第一の筆記体５および第二の筆記体６を後方へ常時弾発してある。第一の筆記体５は軸部５ａをコイルスプリング１０と駒部材９に設けた貫通孔９ａへ挿通し、第二の筆記体６は軸部６ａをコイルスプリング１１と駒部材９に設けた貫通孔９ｂへ挿通してある。
【００１６】
図３は筆記体の膨出部を前進させて使用状態とした図である。図３に示す磁気ペン１は、第一の筆記体５の膨出部５ｃを前進させ、軸筒本体４の先端開口部２ａより先端にＮ極を有する筆記用磁石７および磁石保持部５ｂを突出させている。この時、コイルスプリング１０は圧縮され、第一の筆記体５の後端部に形成した係止部５ｅを後軸３の後端内面より前方方向へ垂設した係止壁３ｃに当接して、先端開口部２ａより筆記用磁石７および磁石保持部５ｂの突出状態を維持する。同様に第二の筆記体６の後端部にも係止部６ｅを形成してあり、膨出部６ｃを押し下げるように前進させることで、先端開口部２ａよりＳ極を先端に有する筆記用磁石８および磁石保持部６ｂの突出状態を維持することができる。 係止部５ｅ，６ｅは軸筒本体４の軸心に沿った方向に直交する平地面で形成してあり、凹部５ｆ，６ｆを設けて係止受部である係止壁３ｃに引っ掛かりやすくしてある。また、第一の筆記体５および第二の筆記体６の後部内側には逃げ部５ｇ，６ｇを形成してあり、突出状態にある筆記体の係止部が他方の筆記体の内側に接触しないようにしてある。
【００１７】
尚、突出状態の筆記体を没入させるには、突出している方と反対の筆記体の膨出部を前方へスライドさせればよい。第一の筆記体５よび第二の筆記体６のそれぞれには、互いの係止状態を解除するための解除用突起５ｈ，６ｈを設けてあり、図３に示す第一の筆記体５が突出状態にある際には、第二の筆記体６の膨出部６ｃを前方へ少しスライドさせることにより、係止壁３ｃに係止されている第一の筆記体５の係止部５ｅを第二の筆記体６の係止解除突起６ｈが押し下げて係止解除できる。係止解除突起５ｈ，６ｈは相手の係止部５ｅ，６ｅを押し下げながら外方へずらしやすいように前方から後方へ向かって中心方向へ傾斜する傾斜面としてある。
【００１８】
本実施例では、図示しないがＳ極側表面が赤色でＮ極側表面が黒色の微小磁石を分散液体中に分散した磁気パネルへの使用を目的としたため、先端にＮ極を有する筆記用磁石７を装着した第一の筆記体５は赤色の樹脂で射出成形し、先端にＳ極を有する筆記用磁石８を装着した第二の筆記体６は黒色の樹脂で射出成形してある。したがって使用者は軸筒本体４の摺動溝３ａ，３ｂから突出した膨出部５ｃ，６ｃの色（赤色，黒色）、あるいは軸筒本体４の先端開口部２ａから突出した磁石保持部５ｂ，６ｂの色（赤色，黒色）で、磁気パネルに表示できる筆跡の色を判別できる。またそれぞれの筆記体は樹脂で形成してあることから、軸筒本体４の内部において、軸部５ａ，６ａが容易に湾曲状態に変形して滑らかな突出操作を行うことができる。
【００１９】
図４は変形例の断面図である。本実施例では第一の筆記体５および第二の筆記体６は、磁石保持部５ｂ，６ｂが当該筆記用磁石７，８を被覆部５ｉ，６ｉにて被覆している以外は前述の実施例と同様である。本実施例においては、樹脂からなる第一の筆記体５および第二の筆記体６を射出成形する際に、それぞれに筆記用磁石７，８を鋳込んで形成した。
【産業上の利用可能性】
【００２０】
磁気パネル用の磁気ペンとして、太線と細線の線巾を筆記できるように、外形の大きさの異なる筆記用磁石を先端に装着した筆記体を軸筒本体内に備えた磁気ペンとすることもできる。さらに軸筒本体内に収容する筆記体は２本だけでなく３本以上を収容させてもよい。例えばＳ極側表面が赤色でＮ極側表面が黒色の微小磁石を備えた磁気パネルと、Ｓ極側表面が青色でＮ極側表面が黄色の微小磁石を備えた磁気パネルとの二つがある場合には、先端にＮ極を有する筆記用磁石を装着した第一の筆記体を赤色の樹脂で射出成形し、先端にＳ極を有する筆記用磁石を装着した第二の筆記体を黒色の樹脂で射出成形し、また先端にＮ極を有する筆記用磁石を装着した第三の筆記体を青色の樹脂で射出成形し、先端にＳ極を有する筆記用磁石を装着した第四の筆記体を黄色の樹脂で射出成形し、一つの軸筒本体内に前記４本の筆記体を収容することにより、二つの磁気パネルに対応できる磁気ペンとすればよい
【図面の簡単な説明】
【００２１】
【図１】本発明の実施例である磁気ペンの側面図である。
【図２】図１のＡ−Ａ線断面図である。
【図３】筆記体の膨出部を前進させて使用状態とした図である。
【図４】変形例の断面図である。
【符号の説明】
【００２２】
１…磁気ペン、２…前軸、２ａ…先端開口部、
３…後端、３ａ，３ｂ…摺動溝、３ｃ…係止壁、
４…軸筒本体、
５…第一の筆記体、５ａ…軸部、５ｂ…磁石保持部、５ｃ…膨出部、
５ｄ…突出部、５ｅ…係止部、５ｆ…凹部、５ｇ…逃げ部、
５ｈ…解除用突起、５ｉ…被覆部、
６…第二の筆記体、６ａ…軸部、６ｂ…磁石保持部、６ｃ…膨出部、
６ｄ…突出部、６ｅ…係止部、６ｆ…凹部、６ｇ…逃げ部、
６ｈ…解除用突起、６ｈ…被覆部、
７…筆記用磁石、８…筆記用磁石、
９…駒部材、９ａ…貫通孔、９ｂ…貫通孔、
１０…コイルスプリング、１１…コイルスプリング。
【図１】
2008155551.tif 000003
【図２】
2008155551.tif 000004
【図３】
2008155551.tif 000005
【図４】
2008155551.tif 000006